(57)【要約】      （修正有）【課題】円錐の外部に鳥の警戒する姿態を複数表示して鳥のオドシをする。【解決手段】鳥の警戒する姿態を表示、円錐２は平面の展開図５を丸め、接合部６で円錐になし、外面３は、警戒色の背景に鳥の逆吊り１などを表示し、平ゴム７又はひもで、支え８と地面の杭９の任意の中間に円錐２を吊るして、地面の杭９に直結させ、平ゴム７等を円錐の頂点で接合する。【選択図】図３
0003134358.tif 000002
【実用新案登録請求の範囲】
【請求項１】
平面の展開図から円錐になし、円錐外部の警戒色を背景に、逆吊りにした複数の鳥を表示し、円錐の中心に平ゴムを通し、円錐の頂点部分と平ゴムを接合させ、支えと杭などにより吊るして、円錐を中間に固定する鳥のオドシ。
【請求項２】
円錐が、角錐である請求項１記載の鳥のオドシ。
【請求項３】
円筒の上部に蓋を施し、中心部に平ゴムを設置する請求項１記載の鳥のオドシ。
【請求項４】
角筒の上下に蓋を設け、隅に羽根を有し、テグスで中間に吊るして角筒の上下の付近には、より戻しを施す。請求項１、３記載の鳥のオドシ。
【請求項５】
より戻し付きテグスを用いて吊り、円錐の底辺の外周に金属パイプを設置する請求項１、４記載の鳥のオドシ。
【考案の詳細な説明】
【技術分野】
【０００１】  本考案は、円錐又は角錐、円筒、角筒の外部面に複数の実物大の鳥の逆吊りを表示する鳥のオドシに関するものである。
【背景技術】
【０００２】  鳥類は害鳥と益鳥に二分される。害鳥の筆頭はるカラスだ。それほど手に負えない。農作物をはじめ、家庭から出るゴミをあせる。養豚業の豚舎の生きた豚の背中に穴をあけて肉を食べる。尾を食いちぎるなどの狼藉を働く。
これらの害鳥を退治するには、確実で手っ取りはやい方法は猟銃で射殺すればよい。が、動物愛護その他の事情でそれが出来ない。現状はオドシに頼らざるを得ない。
【考案の開始】
【考案が解決しようとする課題】
【０００３】  正常なカラスの姿態だとオドシのはずが、同類を呼び寄せる。また、大きさが実物大でないとカラスは無関心だ。実物大の姿態を逆吊りにすると、異常な警戒心を示し寄り付かない。光る金属も警戒する。この２つを組み合わせを考慮し、金属の光沢を有するもの。また、警戒する黄色，赤色などの配色を背景に、カラスを逆吊りにした姿態を円錐、角錐、円筒、角筒などの外部に複数表示して、問題点を解決しようとするものである。
【課題をす解決するための手段】
【０００４】  本考案は円錐を平面の展開図にし、丸めて円錐，円筒になす。、平面を折り曲げて角錐、角筒にし、簡単な工法にする。外面に警戒色を背景に実物大の姿態の逆吊りを表示する。
【考案の効果】
【０００５】  上述のように、従来からのカラスの形態をなす模擬品とちがって、簡便な印刷よって量産が出来、従って廉価である。平面状態で輸送が嵩ばらない利点もある。
【０００６】  円錐や角錐は斜面などの表示したオドシの逆吊りの角度は、上空を飛ぶ鳥の視野に捉われやすい。また、三角筒は羽根が風を受け回転して鳥の注意を促す。
【０００７】  円錐の頂点を固定させ、末広がりの裾が鐘を振るように風で揺れて鳥の警戒心を呼ぶ。中心の平ゴムが上部で固定。地面からの一直線によって、振れの大きさを制御する。振幅が、円錐の底辺のＡ〜Ｂ間の範囲内に留まる。従って、円錐の斜面に表示された逆吊りの鳥の姿態は大きく傾かず、低く飛ぶ鳥にも視野から外れない。
【０００８】  円錐のラッパ状の裾は空洞で内側と外側が風を受け微風にも働く。逆吊りの複数の表示の鳥を躍動させる。
【０００９】  紐でもよいが、薄い平ゴムだと風で唸りをたて鳥を脅す。テグスの光がオドシになる。
【００１０】  表面に表示する鳥の姿態であるから、大量に迅速かつ廉価に印刷できる。
【００１１】  円錐をより房し付きのテグスを用いて吊り、底辺の外周の適宜な箇所に金属パイプを設置する。円錐は揺れるだけでなく、回転して躍動感をあ高める。
【００１２】金属パイプが接触して音を出す。視覚と聴覚によってオドシの効果が増す。
【実施例】
【００１３】  以下、添付図面に従って実施例を説明する。１は円錐の外面３に実物大の鳥の逆吊り１の姿態を複数表示し、平ゴム７を通す頂点の孔４を施す。２は円錐の展開図で接合部６を有する。３は支え８から地面の杭９に到達し、平ゴムの任意の中間に円錐２を設置する。４は円錐２の中心を通す平ゴム７を頂点の接合部で円錐２に固定する。【００１４】  ７は円筒１３も例によって複数の鳥の逆吊りを外面に表示し、上部に蓋１４を設置し円筒の中心にテグス１６とより戻し１７を施す。８は角筒１５の上下に蓋１４を設け隅に回転用の羽根１８を設置し、中心にテグス１６を通し角筒１５の上下により戻しを施す。【００１５】  ９は円錐２の外面にスズメの複数の鳥の逆吊りを外面に表示し、底辺に補強部２１を設け底辺の外周の孔２０には金属パイプ２２を吊るす。中心を通すテグスにはより戻しを設ける。【００１６】  本考案の実施例は上述のような構成からなるもので、円錐の外面３には鳥の警戒色を背景に、鳥の逆吊り１を複数印刷で表示する簡便な方法で、より効果的な目的を達することができる。
【図面の簡単な説明】
【００１７】
【図１】  円錐の外面に、逆吊りの鳥を表示した側面図である。
【図２】  円錐の展開図である。
【図３】  鳥のオドシを設置した状態を示す側面図である。
【図４】  鳥のオドシの中心位置にある平ゴムの状態。
【図５】  角錐の側面図である。
【図６】  角錐の展開図である。
【図７】  円筒の斜視図である。
【図８】  角筒の斜視図である。
【図９】  金属パイプを設置した鳥のオドシの側面図である。
【符号の説明】
【００１８】  １    逆吊りの鳥
２    円錐
３    円錐の外面
４    頂点の切断孔
５    円錐の展開図
６    接合部
７    平ゴム
８    支え
９    杭
１０    頂点の接合部
１１    角錐
１２    角錐の展開図
１３    円筒
１４    蓋
１５    角筒
１６    テグス
１７    より戻し
１８    羽根
１９    スズメの逆吊り
２０    孔
２１    補強部
２２    金属パイプ
Ａ〜Ｂ  底辺の両端
【図１】
0003134358.tif 000003
【図２】
0003134358.tif 000004
【図３】
0003134358.tif 000005
【図４】
0003134358.tif 000006
【図５】
0003134358.tif 000007
【図６】
0003134358.tif 000008
【図７】
0003134358.tif 000009
【図８】
0003134358.tif 000010
【図９】
0003134358.tif 000011
【手続補正書】
【提出日】平成18年10月25日(2006.10.25)
【手続補正１】
【補正対象書類名】実用新案登録請求の範囲
【補正対象項目名】全文
【補正方法】変更
【補正の内容】
【実用新案登録請求の範囲】
【請求項１】
平面の展開図から円錐になし、円錐外部の警戒色を背景に、逆吊りにした複数の鳥を表示し、円錐の中心に平ゴムを通し、円錐の頂点部分と平ゴムを接合させ、支えと杭などにより吊るして、円錐を中間に固定する鳥のオドシ。
【請求項２】
円錐が、角錐である請求項１記載の鳥のオドシ。
【請求項３】
円筒の上部に蓋を施し、中心部に平ゴムを設置する請求項１記載の鳥のオドシ。
【請求項４】
角筒の上下に蓋を設け、隅に羽根を有し、テグスで中間に吊るして角筒の上下の付近には、より戻しを施す。請求項１、３記載の鳥のオドシ。
【請求項５】
より戻し付きテグスを用いて吊り、円錐の底辺の外周に金属パイプを設置する請求項１、４記載の鳥のオドシ。
【請求項６】
円錐の外面に複数の猫の絵を側面と正面を交互に表示し、紐でつるし錘などで円錐を固定する請求項１記載の鳥のオドシ。
【請求項７】
円錐の外面に複数の鷲の絵を側面と正面を交互に表示し、紐でつるし錘などで円錐を固定する請求項１、６記載の鳥のオドシ。
【手続補正２】
【補正対象書類名】明細書
【補正対象項目名】全文
【補正方法】変更
【補正の内容】
【考案の詳細な説明】
【考案の詳細な説明】
【技術分野】
【０００１】本考案は、円錐又は角錐、円筒、角筒の外部面に複数の実物大の鳥の逆吊りを表示する鳥のオドシに関するものである。
【背景技術】
【０００２】鳥類は害鳥と益鳥に二分される。害鳥の筆頭はるカラスだ。それほど手に負えない。農作物をはじめ、家庭から出るゴミをあせる。養豚業の豚舎の生きた豚の背中に穴をあけ      て肉を食べる。尾を食いちぎるなどの狼藉を働く。
これらの害鳥を退治するには、確実で手っ取りはやい方法は猟銃で射殺すればよい。が、動物愛護その他の事情でそれが出来ない。現状はオドシに頼らざるを得ない。
【考案の開始】
【考案が解決しようとする課題】
【０００３】正常なカラスの姿態だとオドシのはずが、同類を呼び寄せる。また、大きさが実物大でないとカラスは無関心だ。実物大の姿態を逆吊りにすると、異常な警戒心を示し寄り付かない。光る金属も警戒する。この２つを組み合わせを考慮し、金属の光沢を有するもの。また、警戒する黄色，赤色などの配色を背景に、カラスを逆吊りにした姿態を円錐、角錐、円筒、角筒などの外部に複数表示して、問題点を解決しようとするものである。
【課題をす解決するための手段】
【０００４】本考案は円錐を平面の展開図にし、丸めて円錐，円筒になす。、平面を折り曲げて角錐、角筒にし、簡単な工法にする。外面に警戒色を背景に実物大の姿態の逆吊りを表示する。
【考案の効果】
【０００５】上述のように、従来からのカラスの形態をなす模擬品とちがって、簡便な印刷よって量産が出来、従って廉価である。平面状態で輸送が嵩ばらない利点もある。
【０００６】円錐や角錐は斜面などの表示したオドシの逆吊りの角度は、上空を飛ぶ鳥の視野に捉われやすい。また、三角筒は羽根が風を受け回転して鳥の注意を促す。
【０００７】円錐の頂点を固定させ、末広がりの裾が鐘を振るように風で揺れて鳥の警戒心を呼ぶ。中心の平ゴムが上部で固定。地面からの一直線によって、振れの大きさを制御する。振幅が、円錐の底辺のＡ〜Ｂ間の範囲内に留まる。従って、円錐の斜面に表示された逆吊りの鳥の姿態は大きく傾かず、低く飛ぶ鳥にも視野から外れない。
【０００８】円錐のラッパ状の裾は空洞で内側と外側が風を受け微風にも働く。逆吊りの複数の表示の鳥を躍動させる。
【０００９】紐でもよいが、薄い平ゴムだと風で唸りをたて鳥を脅す。テグスの光がオドシになる。
【００１０】表面に表示する鳥の姿態であるから、大量に迅速かつ廉価に印刷できる。
【００１１】円錐をより戻し付きのテグスを用いて吊り、底辺の外周の適宜な箇所に金属パイプを設置する。円錐は揺れるだけでなく、回転して躍動感をあ高める。
【００１２】金属パイプが接触して音を出す。視覚と聴覚によってオドシの効果が増す。
【実施例】
【００１３】以下、添付図面に従って実施例を説明する。１は円錐の外面３に実物大の鳥の逆吊り１の姿態を複数表示し、平ゴム７を通す頂点の孔４を施す。２は円錐の展開図で接合部６を有する。３は支え８から地面の杭９に到達し、平ゴムの任意の中間に円錐２を設置する。４は円錐２の中心を通す平ゴム７を頂点の接合部で円錐２に固定する。【００１４】７は円筒１３も例によって複数の鳥の逆吊りを外面に表示し、上部に蓋１４を設置し円筒の中心にテグス１６とより戻し１７を施す。８は角筒１５の上下に蓋１４を設け隅に回転用の羽根１８を設置し、中心にテグス１６を通し角筒１５の上下により戻しを施す。【００１５】９は円錐２の外面にスズメの複数の鳥の逆吊りを外面に表示し、底辺に補強部２１を設け底辺の外周の孔２０には金属パイプ２２を吊るす。中心を通すテグスにはより戻しを設ける。【００１６】円錐２の外面に複数の絵である猫の正面図２３と側面図２４とを交互に表示し、紐２７でつるし錘２８などで円錐２を固定する。【００１７】円錐の外面に複数の絵である鷲の正面図２５と側面図２６を交互に表示し、紐２７でつるし錘２８などで円錐２を固定する。【００１８】本考案の実施例は上述のような構成からなるもので、円錐の外面３には鳥の警戒色を背景に、鳥の逆吊り１を複数印刷で表示する簡便な方法で、より効果的な目的を達することができる。
【図面の簡単な説明】
【００１９】
【図１】  円錐の外面に、逆吊りの鳥を表示した側面図である。
【図２】  円錐の展開図である。
【図３】  鳥のオドシを設置した状態を示す側面図である。
【図４】  鳥のオドシの中心位置にある平ゴムの状態。
【図５】  角錐の側面図である。
【図６】  角錐の展開図である。
【図７】  円筒の斜視図である。
【図８】  角筒の斜視図である。
【図９】  金属パイプを設置した鳥のオドシの側面図である。
【図１０】  猫の正面図
【図１１】  猫の側面図
【図１２】  鷲の側面図
【図１３】  鷲の正面図
【符号の説明】
【００２０】  １    逆吊りの鳥
２    円錐
３    円錐の外面
４    頂点の切断孔
５    円錐の展開図
６    接合部
７    平ゴム
８    支え
９    杭
２０    孔
２１    補強部
２２    金属パイプ
２３    猫の正面図
２４    猫の側面図
２５    鷲の側面図
２６    鷲の正面図
２７    紐
２８    錘
Ａ〜Ｂ  底辺の両端
【手続補正３】
【補正対象書類名】図面
【補正対象項目名】図１０
【補正方法】追加
【補正の内容】
【図１０】
0003134358.tif 000012
【手続補正４】
【補正対象書類名】図面
【補正対象項目名】図１１
【補正方法】追加
【補正の内容】
【図１１】
0003134358.tif 000013
【手続補正５】
【補正対象書類名】図面
【補正対象項目名】図１２
【補正方法】追加
【補正の内容】
【図１２】
0003134358.tif 000014
【手続補正６】
【補正対象書類名】図面
【補正対象項目名】図１３
【補正方法】追加
【補正の内容】
【図１３】
0003134358.tif 000015
【手続補正書】
【提出日】平成18年10月26日(2006.10.26)
【手続補正１】
【補正対象書類名】実用新案登録請求の範囲
【補正対象項目名】請求項１
【補正方法】変更
【補正の内容】
【請求項１】
平面の展開図から円錐になし、円錐外部の警戒色を背景に、鳥の警戒する姿態を複数、表示し円錐の中心に紐を通し、円錐の頂点部分と紐を接合させ、支えと杭などにより吊るして、円錐を中間に固定する鳥のオドシ。
【手続補正２】
【補正対象書類名】明細書
【補正対象項目名】０００１
【補正方法】変更
【補正の内容】
【０００１】本考案は、円錐又は角錐、円筒、角筒の外部面に複数の実物大の鳥の警戒する姿態を表示する鳥のオドシに関するものである。
【手続補正３】
【補正対象書類名】明細書
【補正対象項目名】０００３
【補正方法】変更
【補正の内容】
【０００３】正常なカラスの姿態だとオドシのはずが、同類を呼び寄せる。また、大きさが実物大でないとカラスは無関心だ。実物大の鳥の警戒する姿態に寄り付かない。光る金属も警戒する。この２つを組み合わせを考慮し、金属の光沢を有するもの。また、警戒する黄色，赤色などの配色を背景に、カラスの警戒する姿態を円錐、角錐、円筒、角筒などの外部に複数表示して、問題点を解決しようとするものである。
【手続補正４】
【補正対象書類名】明細書
【補正対象項目名】０００４
【補正方法】変更
【補正の内容】
【０００５】本考案は円錐を平面の展開図にし、丸めて円錐，円筒になす。、平面を折り曲げて角錐、角筒にし、簡単な工法にする。外面に警戒色を背景に実物大の鳥の警戒する姿態を表示する。
【手続補正５】
【補正対象書類名】明細書
【補正対象項目名】０００６
【補正方法】変更
【補正の内容】
【０００６】円錐や角錐は斜面などの表示したオドシの鳥の警戒する姿態の角度は、上空を飛ぶ鳥の視野に捉われやすい。また、三角筒は羽根が風を受け回転して鳥の注意を促す。
【手続補正６】
【補正対象書類名】明細書
【補正対象項目名】０００７
【補正方法】変更
【補正の内容】
【０００７】円錐の頂点を固定させ、末広がりの裾が鐘を振るように風で揺れて鳥の警戒心を呼ぶ。中心の紐が上部で固定。地面からの一直線によって、振れの大きさを制御する。振幅が、円錐の底辺のＡ〜Ｂ間の範囲内に留まる。従って、円錐の斜面に表示された鳥の警戒する姿態が大きく傾かず、低く飛ぶ鳥にも視野から外れない。
【手続補正７】
【補正対象書類名】明細書
【補正対象項目名】００１３
【補正方法】変更
【補正の内容】
【００１３】以下、添付図面に従って実施例を説明する。１は円錐の外面３に実物大の鳥の警戒する姿態を複数表示し、紐を通す頂点の孔４を施す。２は円錐の展開図で接合部６を有する。３は支え８から地面の杭９に到達し、紐の任意の中間に円錐２を設置する。４は円錐２の中心を通す紐を頂点の接合部で円錐２に固定する。
【手続補正８】
【補正対象書類名】明細書
【補正対象項目名】００１４
【補正方法】変更
【補正の内容】
【００１４】７は円筒１３も例によって複数の鳥の警戒する姿態を外面に表示し、上部に蓋１４を設置し円筒の中心にテグス１６とより戻し１７を施す。８は角筒１５の上下に蓋１４を設け隅に回転用の羽根１８を設置し、中心にテグス１６を通し角筒１５の上下により戻しを施す。
【手続補正９】
【補正対象書類名】明細書
【補正対象項目名】００１６
【補正方法】変更
【補正の内容】
【００１６】本考案の実施例は上述のような構成からなるもので、円錐の外面３には鳥の警戒色を背景に、鳥の警戒する姿態を複数印刷で表示する簡便な方法で、より効果的な目的を達することができる。
【手続補正書】
【提出日】平成18年11月22日(2006.11.22)
【手続補正１】
【補正対象書類名】実用新案登録請求の範囲
【補正対象項目名】請求項４
【補正方法】変更
【補正の内容】
【請求項４】
角筒の上下に蓋を設け、隅に羽根を有し、テグスで中間に吊るして角筒の上下の付近には、より戻しを施す請求項１または３記載の鳥のオドシ。
【手続補正２】
【補正対象書類名】実用新案登録請求の範囲
【補正対象項目名】請求項５
【補正方法】変更
【補正の内容】
【請求項５】
より戻し付きテグスを用いて吊り、円錐の底辺の外周に金属パイプを設置する請求項１または４記載の鳥のオドシ。
【手続補正書】
【提出日】平成19年2月13日(2007.2.13)
【手続補正１】
【補正対象書類名】実用新案登録請求の範囲
【補正対象項目名】全文
【補正方法】変更
【補正の内容】
【実用新案登録請求の範囲】
【請求項１】
平面の展開図から円錐になし、円錐外部の警戒色を背景に、逆吊りにした複数の鳥を表示し、円錐の中心に平ゴムを通し、円錐の頂点部分と平ゴムを接合させ、支えと杭などにより吊るして、円錐を中間に固定する鳥のオドシ。
【請求項２】
円錐が角錐である請求項１記載の鳥のオドシ。
【請求項３】
円筒の上部に蓋を施し、中心部に平ゴムを設置する請求項１記載の鳥のオドシ
【請求項４】
角筒の上下に蓋を設け、隅に羽根を有し、テグスで中間に吊るして角筒の上下の付近には、より戻しを施す請求項１、３記載の鳥のオドシ。
【請求項５】
より戻し付きテグスを用いて吊り、円錐の底辺の外周に金属パイプを設置する請求項１、４記載の鳥のオドシ。
【請求項６】
円錐の外面に複数の猫の絵を側面と正面を交互に表示し、紐でつるし錘などで円錐を固定する請求項１記載の鳥のオドシ。
【請求項７】
円錐の外面に複数の鷲の絵を側面と正面を交互に表示し、紐でつるし錘などで円錐を固定する請求項１、６記載の鳥のオドシ。